(57)【要約】【課題】複数の光源を一列に配置した単列型発光器で情報発信する場合、人が残像として表示認識するには高速で周期的に振り動かす必要がある。このため、単列型発光器を携帯性の列発光型情報発信ツールに用いた場合、人が手で振り動かして継続的に情報発信することが困難である。【解決手段】携帯性の列発光型情報発信ツールに用いる発光器を、複数の光源が一列に配置した光源列ｍ個よりなる複列型発光器とし、互いに隣り合う隣接ｎ個の光源列を順次選択して極短期間点灯し、光源列を順次選択するステップ数がｋとなる毎に選択する光源列が最初の位置に折り返すようにする。このとき、Ｗ個の光源列で構成される情報を発信する場合、見出した関係式に基いてｍ、ｎ、ｋおよびＷの組合せを最適化することで列発光型情報発信ツールを周期的に振り動かす速度を低減する。【選択図】図７
2020184044.tif 000002
【特許請求の範囲】
【請求項１】
複数の光源がマトリクス状に配列された発光領域が移動する間に、各光源を点滅させて文字等の情報を描くようにした発光器であって、前記発光領域の移動に同期させて、前記各光源の点滅箇所と点滅時間を制御するようにしたことを特徴とする発光器。
【発明の詳細な説明】
【技術分野】
【０００１】
本発明は、列方向に配列した複数の光源の輝度を独立に制御しながら行方向に移動させることにより、人が残像として表示認識する技術に関する。
【背景技術】
【０００２】
ＬＥＤは可視光領域全体の発色が可能となり、赤色から青色までの単色発光やこれらの波長が異なる光を同時に発する白色発光の光源として利用されている。ＬＥＤは従来の代表的な光源であった電球と比べて小型・軽量・薄層且つ低消費電力であることから、当初は電球の置き換えとして照明用途を中心に普及し、今日では表示装置を始めとする様々な場面で広く用いられている。また、近年ではＬＥＤの新たな活用法が模索されており、様々な提案が行われている。
【０００３】
その中の一つに、輝度を独立に制御する機構を備えたＬＥＤ等の複数の光源を列方向へ一列に配置した単列型発光器を極短時間に明滅させながら行方向へ高速で移動させることで、これを見た人へ残像によって表示認識させるシステムがある。このようなシステムを列発光型情報発信ツールと呼ぶことにする。単列型発光器を高速で移動させる代わりに、複数個の単列型発光器を等間隔で配置した前を高速で通過することでも同様に表示認識することが出来、地下鉄や鉄道トンネルの壁面に設置することで電車内の乗客に向けて広告やメッセージを発信する手段として実用化が開始されている。
【０００４】
単列型発光器を小型化・軽量化して携帯可能なツールとすることができれば、光源を一列のみ配置した細長いツールでありながらツールサイズよりも格段に幅広な表示画面を仮想的に形成してメッセージの発信を行うことが出来るので、災害時などに夜間であっても手で振ることによって離れた場所にいる捜索隊などへ救助要請や必要最小限の状況伝達を行うことで、より迅速な救助が可能となる。
【０００５】
しかしながら、携帯性の列発光型情報発信ツールは、人が残像によって表示認識を行うものであるため高速で周期的に反復移動、即ち人が手に持って振り続ける必要があるので、幾ら小型化・軽量化したとしても長時間に渡って情報を発信し続けることは困難である。
【０００６】
本発明は、列発光型情報発信ツールを低速で振っても人が残像による表示認識を可能とすることで、災害時等に際して極力継続して情報発信を続けられるようにするものである。
【先行技術文献】
【特許文献】
【０００７】
【特許文献１】特開２００２−１８２５９０
【発明の概要】
【発明が解決しようとする課題】
【０００８】
従来の代表的な光源であった電球と比べてＬＥＤは、小型・軽量・薄型且つ低消費電力であることから、防災用品としての照明に適している。このため、災害時に遠くまで光が届くことで救助要請のサインを送ることが可能な高輝度タイプの懐中電灯や、乾電池で長時間点灯可能な照明器など、様々な防災用品に用いられている。また、このようなＬＥＤの特性を生かした新しい防災用品も次々と開発され、市場に投入されている。
【０００９】
例えば、山間部等での災害に際しては、先ずヘリコプター等による上空からの捜索が行われ、発見後に搭乗員の降下や捜索隊が徒歩で災害現場に到達してから状況確認が行われた後、その報告を受けた対策本部から救助隊が改めて出動する。もし、上空の捜索ヘリコプター搭乗員に状況を手短に知らせることができれば、それだけ救助活動の開始が早くなり、救われる命も増える。しかし、災害の発生が夜間であった場合、上空のヘリコプター搭乗員が要救助者を発見することは困難である。また、要救助者からの連絡手段は携帯電話等に限られるが、携帯電話はバッテリー消費が早いため、災害時には常に通話可能とは限らない。そこで、消費電力が小さく、携帯性に優れた発光型の情報発信ツールの高機能化と普及が待ち望まれる。
【００１０】
このような携帯性の発光型情報発信ツールに適用可能な従来技術として、輝度を独立に制御する機構を備えた複数の光源を列方向へ一列に配置した単列型発光器を極短時間に明滅させながら行方向へ高速で移動させることで、これを見た人へ残像によって表示認識させるシステムである列発光型情報発信ツールが挙げられる。図１は、光源としてＬＥＤを用いた単列型発光器よりなる携帯性の列発光型情報発信ツールの概要を模式的に示す図であり、要救助者１１０が携帯性の列発光型情報発信ツール１００を周期的に反復移動、即ち手に持って振ることによって離れた場所にいる捜索者１２０に対して光源列が５列からなら文字情報を発信している。１０１は点灯状態のＬＥＤを、１０２は消灯状態のＬＥＤを示す。携帯性の列発光型情報発信ツール１００は時間Δｔの間に光源の１列分だけ移動し、その間にＬＥＤは極短時間だけ点灯する。これにより、捜索者１２０には点灯または消灯した点光源がマトリクス状に配列されたように見えることになり、「Ａ」という文字１２１を認識することができる。このとき、携帯性の列発光型情報発信ツールを例えば左から右に移動する期間のみにＬＥＤを明滅させ、右から左に移動する期間にはＬＥＤを常に消灯してもよいが、点灯期間が短いと捜索者１２０には積算による表示輝度が低く感じるため、右から左に移動する期間にもＬＥＤを明滅させてもよい。
【００１１】
[従来技術の一例]
光源としてＬＥＤを用いた場合の、携帯性の列発光型情報発信ツールとして用いる従来技術の単列型発光器の製造方法について、以下で図を参照しながら説明する。先ず、ガラス基板上に貼り付けた絶縁性のポリイミドフィルム上にアルミニウムーネオジウム合金を基板全面にスパッタリング法により３００ｎｍ成膜し、続いてモリブデンを基板全面にスパッタリング法により２０ｎｍ成膜する。次に、フォトリソグラフ工程によりアルミニウムーネオジウム合金およびモリブデンを所定の形状に加工し、アノード接続バンプ２１０とこれと一体化した信号配線２１１および給電電極２１２と、カソード接続バンプ２２０とこれと一体化した信号配線２２１および給電電極２２２を形成する。図２は、この時の基板の様子を示す模式図であり、アノードバンプとカソードバンプの組が一列に配列され、またカソード電位は共通であるため全てのカソード信号配線が互いに接続されている。次に、保護膜となるＳｉＯ２を基板全面に化学的気相成膜法により３００ｎｍ成膜した後、フォトリソグラフ工程によりＳｉＯ２を所定の形状に加工して各バンプおよび各給電電極を露出させる。次に、ガラス基板からポリイミドフィルムを剥離した後。ポリイミドフィルムを所定の形状２００に加工する。次に、バンプにＬＥＤチップ２３０を実装し、最後に制御回路を接続し、携帯性の列発光型情報発信ツールとして用いる従来技術の単列型発光器が出来上がる。図３は、このときの単列型発光器の様子を示す模式図である。
【００１２】
しかしながら、残像として人に表示認識させるためには、一列に配置した複数のＬＥＤを高速で周期的に反復移動、即ち振り動かし続ける必要がある。このため、長くても十数秒程度しか情報発信を継続することができない。従って、このような列配置したＬＥＤ等の光源よりなる情報発信ツールを防災用品として実用化するためには、残像として人に表示認識させるための周期的な反復移動速度を低下させることや、同一の発信情報量に対して振り動かす稼動範囲を低減することが不可欠である。
【００１３】
本発明は以上の点に鑑みてなされたものであり、本発明の目的は、輝度を独立に制御可能な複数の光源を列方向へ一列に配置した単列型発光器を用いた列発光型情報発信ツールが発する情報を人が残像として表示認識するために必要な周期的反復移動の速度や稼動範囲を低減することで、情報発信ツールとして継続して情報発信する時間を引き延ばす手法を提供するものである。
【課題を解決するための手段】
【００１４】
複数の光源がマトリクス状に配列された発光領域が移動する間に、各光源を点滅させて文字等の情報を描くようにした発光器であって、前記発光領域の移動に同期させて、前記各光源の点滅箇所と点滅時間を制御するようにしたことを特徴とする発光器。
【００１５】
絶縁性の基板上に、輝度を独立に制御可能な複数個の光源を一列に配置したｍ個の光源列と、前記ｍ個の光源列から互いに隣接するｎ個の光源列よりなる組を時間ステップ毎に順次選択する機構と、前記選択されたｎ個の光源列よりなる光源列の組を構成する光源の輝度を信号データに応じて独立に制御する機構とを少なくとも備えた発光器において、
順次選択された光源列の合計数Ｗを所定値とし、Ｒｏｕｎｄｕｐ（ｘ）は実数ｘの小数部を切り上げた整数とする関数とし、Ｉｎｔ（ｘ）が実数ｘを超えない最大の整数を表す関数としたときに整数ｋが取り得る最大値をＩｎｔ｛（ｍ−１）／（ｎ−１）｝とし、整数ｋが取り得る最大値を超えない範囲で整数ｋの値を式（１Ａ）
Ｔ＝Ｒｏｕｎｄｕｐ（Ｗ／ｎ）＋（ｎ−１）×ｋ×〔Ｒｏｕｎｄｕｐ｛Ｗ／（ｎ×ｋ）｝−１〕・・・（１Ａ）
で与えられるＴの値が最小となるように与えることを特徴とする発光器。
【００１６】
前記発光器が所定の周波数で信号を発信する機構を有し、これにより前記発光器を揺動する周期を所定値に誘導する機能を備えたことを特徴とする発光器。
【００１７】
前記の所定の周波数で発信する信号が、光または音であることを特徴とする発光器。
【００１８】
前記発光器が加速度センサーを有し、振ることでスイッチがＯＮとなって前記順次選択が開始されることを特徴とする発光器。
【発明の効果】
【００１９】
本発明により、列発光型情報発信ツールを低速で振っても人が表示認識できるため、情報発信に十分な期間に渡って継続的に情報発信可能な携帯性の発光型情報発信ツールを提供することができる。また、固定された発光領域では発光領域の範囲内でしか文字等の情報を表示できないが、本発明によれば発光領域が移動する範囲まで文字の表示領域を拡大することができるので、狭い発光領域でより広い発光領域に相当する範囲内に情報を表示することができる。
【図面の簡単な説明】
【００２０】
【図１】光源としてＬＥＤを用いた従来技術の単列型発光器を用いた場合の列発光型情報発信ツールの概要を示す模式図である。
【図２】光源としてＬＥＤを用いた従来技術の単列型発光器において、光源を実装する電極と、これと一体化した信号配線よび給電電極を形成したときのポリイミド基板の様子を示す模式図である。
【図３】光源としてＬＥＤを用いた従来技術の単列型発光器が出来上がった様子を示す模式図である。
【図４】光源としてＬＥＤを用いた本発明の実施形態の一例における複列型発光器において、光源を実装する電極と、これと一体化した信号配線よび給電電極を形成したときのポリイミド基板の様子を示す模式図である。
【図５】光源としてＬＥＤを用いた本発明の実施形態の一例における複列型発光器が出来上がった様子を示す模式図である。
【図６】光源としてＬＥＤを用いた本発明の実施形態の一例における複列型発光器において、光源列を順次選択する様子を示す模式図である。
【図７】光源としてＬＥＤを用いた本発明の実施形態の一例における複列型発光器において、順次選択される光源列が最初の列に戻る様子を示す模式図である。
【図８】本発明の関係式おいてｎ＝２、ｍ＝８とした場合のＴとｋの関係を示すグラフである。
【図９】本発明の実施形態の一例として、本発明の発光器を風力発電システムの回転翼に取り付けた場合の様子を示す模式図である。
【発明を実施するための形態】
【００２１】
光源としてＬＥＤを用いた場合の、携帯性の列発光型情報発信ツールとして用いる本発明の複列型発光器に対する実施形態の一例における製造方法について、以下で図を参照しながら説明する。先ず、ガラス基板上に貼り付けた絶縁性のポリイミドフィルム上にアルミニウムーネオジウム合金を基板全面にスパッタリング法により３００ｎｍ成膜し、続いてモリブデンを基板全面にスパッタリング法により２０ｎｍ成膜する。次に、フォトリソグラフ工程によりアルミニウムーネオジウム合金およびモリブデンを所定の形状に加工し、アノード接続バンプ３１０とこれと一体化した信号配線３１１および給電電極３１２と、カソード接続バンプ３２０とこれと一体化した信号配線３２１および給電電極３２２を形成する。図４は、この時の基板の様子を示す模式図であり、アノードバンプとカソードバンプの組が一列に配列され、またカソード電位は共通であるため全てのカソード信号配線が互いに接続されている。次に、保護膜となるＳｉＯ２を基板全面に化学的気相成膜法により３００ｎｍ成膜した後、フォトリソグラフ工程によりＳｉＯ２を所定の形状に加工して各バンプおよび各給電電極を露出させる。次に、ガラス基板からポリイミドフィルムを剥離した後。ポリイミドフィルムを所定の形状３００に加工する。次に、バンプにＬＥＤチップ３３０を実装し、最後に制御回路を接続し、携帯性の列発光型情報発信ツールとして用いる本発明の複列型発光器が出来上がる。図５は、このときの複列型発光器の様子を示す模式図である。本発明の実施形態やその製造方法は、ここで述べたものに限られるものでないことは言うまでもないことである。
【００２２】
図６は本発明の実施形態の一例として、ｎ＝２、ｍ＝８とし、Ｗ＝１４即ち１４個の光源列で構成される文字情報を発信する場合における本発明の複列型発光器を用いた携帯性の列発光型情報発信ツールの様子を模式的に示す図である。ｋは光源列を順次選択する際の時間ステップを表し、ｋ＝１の場合に例として複列型発光器の左端から第１列と第２列の光源列が選択されるものとする。選択された光源列を構成するＬＥＤは表示信号に応じて個別に点灯または消灯あるいは点灯輝度が制御されて順次選択の時間ステップ間隔Δｔよりも十分短い期間だけ瞬間的に点灯する。これは、１４個の光源列で構成される文字情報において、左端から第１列と第２列が点灯したことに相当する。図６では、例として全てのＬＥＤが同一輝度で点灯する様子を示している。
【００２３】
ｋ＝２のとき、ｋ＝１から時間Δｔが経過して携帯性の列発光型情報発信ツールは光源列１列分だけ右側に振り動かされて移動しており、複列型発光器の左端から第２列と第３列の光源列が選択されて同じく瞬間的に点灯する。これは、１４個の光源列で構成される文字情報において、左端から第３列と第４列が点灯したことに相当する。
【００２４】
これを順次繰り返してｋ＝７のとき、複列型発光器の左端から第７列と第８列、即ち終端側から２列の光源列が選択されて点灯する。これは、１４個の光源列で構成される文字情報において、左端から第１３列と第１４列が点灯したことに相当する。このとき、携帯性の列発光型情報発信ツールを半周期分振り動かしたことになり、この間に要した時間は７Δｔとなる。
【００２５】
これに対して、単列型発光器よりなる従来技術の列発光型情報発信ツールの場合、列発光型情報発信ツールを左から右に振り動かして１４個の光源列で構成される文字情報を発信するために必要な時間ステップ数ｋは１４であり、時間ステップ間隔を同じくΔｔとすると１４列の発光に必要な所要時間は１４Δｔとなる。従って、本発明の複列型発光器を用いた携帯性の列発光型情報発信ツールを振り動かす速度が従来技術の場合と同一のとき、所定の文字表示に要する時間が半減する。
【００２６】
或はまた、本発明の実施形態の一例における１４個の光源列で構成される文字情報の発信に要する時間を従来技術の場合と同一の１４Δｔとする場合、本発明における順次選択の時間ステップ間隔は２Δｔとなる。即ち、本発明の複列型発光器を用いた携帯性の列発光型情報発信ツールを周期的に振り動かす速度は従来技術の場合の半分に低減することができるので、携帯性の発光型情報発信ツールを継続して振り動かすことによる疲労の蓄積が軽減されて従来よりも長く振り続けることが可能となる。
【００２７】
次に、図６を用いて説明した本発明の複列型発光器を用いた携帯性の発光型情報発信ツールで、発信する文字情報を構成する光源列が１４列よりも長い場合について説明する。図７は、図６を用いて説明したｎ＝２、ｍ＝８の場合に、Ｗ＝１６としたときの本発明の実施形態の一例において、時間ステップがｋ＝７とｋ＝８の場合における本発明の複列型発光器を用いた携帯性の列発光型情報発信ツールの様子を模式的に示す図である。図７において、時間ステップがｋ＝７のときに選択される光源列は図６におけるｋ＝７の場合と同様に複列型発光器の左端から第７列と第８列であり、これは発信される文字情報の第１３列と第１４列に相当する。ｋ＝８のときには選択される光源列が複列型発光器の左端に戻って左端から第１列と第２列が選択され、これは発信される文字情報の第１５列と第１６列に相当する。この動作を「選択光源列の折り返し」と呼ぶことにする。
【００２８】
時間ステップがｋ＝７のとき、複列型発光器の左端から第１列の光源列は発信される文字情報の第７列に位置しているので、時間ステップがｋ＝８において複列型発光器の左端から第１列の光源列が発信される文字情報の第１５列に位置するためには、複列型発光器は光源列の８列分だけ右側へ移動している必要がある。即ち、選択光源列の折り返しを伴う時間ステップｋ＝７から時間ステップｋ＝８となるまでの時間ステップ間隔は８Δｔとなり、選択光源列の折り返しを伴わない場合のΔｔと比べて７Δｔだけ長くなる。この７Δｔの期間は複列型発光器が点灯しないブランキングタイムとなる。その後、時間ステップがｋ回目毎に選択光源列の折り返しを行いながら発信する文字情報に必要な所定の光源列数Ｗに達するまで同様に繰り返す。よって、携帯性の発光型情報発信ツールを左から右または右から左に振り動かす期間、即ち半周期間に文字情報発信に要する時間は所定の数の光源列を点灯する時間とブランキングタイムの和であり、ブランキングタイムを極力低減することが好ましい。
【００２９】
これまでに述べた説明と同様に例として本発明の複列型発光器において光源列を左端から右端に向かって順次選択するものとし、携帯性の発光型情報発信ツールを左から右に向かって振り動かすことによって、選択光源列の折り返しを伴わない場合の時間ステップ間隔Δｔ毎に光源列１分だけ本発明の複列型発光器が左から右に向かって移動するものとする。選択光源列の折り返しを伴わない期間において時間ステップがｋのとき、選択されるｎ個の光源列の右端の列は、複列型発光器の左端から第（ｎ−１）×ｋ＋１列となる。よって、Δｔ＝１と規格化してブランキングタイムを表すと（ｎ−１）×ｋとなる。
【００３０】
選択光源列が折り返す度に時間ステップｋを改めてｋ＝１に置き換えることにすると、ｋの最大値はＩｎｔ｛（ｍ−１）／（ｎ−１）｝と表すことができる。ここで、Ｉｎｔ（ｘ）は、実数ｘを超えない最大整数を表す関数とする。このとき、発信する文字情報に必要な所定の光源列数Ｗに対して、半周期間に選択光源列が折り返す回数はＲｏｕｎｄｕｐ｛Ｗ／（ｎ×ｋ）−１｝と表すことができる。ここで、Ｒｏｕｎｄｕｐ（ｘ）は、実数ｘの小数部を切り上げて整数化する関数を表すものとする。また、半周期間にＷ個の光源列を点灯するのに要する時間はＲｏｕｎｄｕｐ（Ｗ／ｎ）と表すことができる。
【００３１】
従って、本発明の複列型発光器を用いた携帯性の発光型情報発信ツールを振り動かす周期の半分の期間に所定の文字情報発信に必要な光源列の数Ｗを点灯するのに要する時間ＴをΔｔ＝１として規格化すると、Ｔは式（１Ｂ）で表すことができる。
Ｔ＝Ｒｏｕｎｄｕｐ（Ｗ／ｎ）＋（ｎ−１）×ｋ×〔Ｒｏｕｎｄｕｐ｛Ｗ／（ｎ×ｋ）｝−１〕・・・（１Ｂ）
これにより、本発明の複列型発光器における光源列数ｍと、同時に順次選択する光源列の数ｎと、所定の文字情報発信に必要な光源列の数Ｗに対して、式（２Ｂ）
Ｉｎｔ｛（ｍ−１）／（ｎ−１）｝・・・（２Ｂ）
で表されるｋの最大値を超えない範囲で、Ｔが最小となるように選択光源列が折り返すステップ数ｋを設定することが好ましい。
【００３２】
図８は、ｍ＝８、Ｗ＝２４としたときに、ｎ＝２とｎ＝４の場合に対するｋとＴの関係を式（１Ｂ）より求めた結果を示す。ここで、ｎ＝２とｎ＝４に対するｋの最大値はそれぞれ７と２である。図８より、半周期間における所定の文字情報に必要な数の光源列の点灯に要する時間Ｔは一概に言える訳ではないが、ｋの増大に伴ってＴが減少する傾向を、ｎの増大に伴ってＴが減少する傾向をそれぞれ窺うことができる。また、Ｗ＝２４に対して、従来技術の単列型発光器を用いた場合はＴ＝２４となるが、本発明の複列型発光器を用いてｎ＝４とするとＴの最小値は１８となり、従来技術の単列型発光器を用いた場合と比べてＴを３分の２に低減できることが分かる。
【００３３】
これまでに図６〜図８を用いて説明した本発明の実施形態は、本発明の複列型発光器を用いた携帯性の発光型情報発信ツールを直線的に往復運動させるように振り動かすものであった。このため、往復運動の半周期、即ち本発明の複列型発光器を用いた携帯性の発光型情報発信ツールを左から右に移動する期間を例に挙げて説明してきた。後半の半周期、即ち本発明の複列型発光器を用いた携帯性の発光型情報発信ツールを右から左に移動する期間において点灯するには、前半の半周期における動作を時間的に遡るように執り行う。或は、後半の半周期の間は、点灯しなくてもよい。
【００３４】
ここで、本発明の複列型発光器を周期的に振り動かすことで人へ残像によって表示情報を認識させる別の手法として、本発明の複列型発光器を同一方向へ回転させることが挙げられる。図９は、風を受けて矢印方向に回転する風力発電機の回転翼４１０に本発明の複列型発光器４００を設置して情報を発信する場合の模式図である。情報の受信者４２０にとって複列型発光器４００は直線的に左から右に一定速度で移動し、情報の受信者４２０は文字情報「ＡＢＣ」４２１を認識する。ここで、風力発電システムには回転翼の回転速度を刻々と複列型発光器４００に伝える機構が備わっている場合、複列型発光器４００において光源列を順次選択する際の時間ステップ間隔Δｔを適時調整することができるので、本発明を適用できることは言うまでもないことである。
【００３５】
図９に示すタイプの風力発電システムは一般に小型の発電システムとして用いられており、回転翼に本発明の複列型発光器を取り付けることで広告表示が可能とあるので、広告収入によって災害に備えた発電システムとして避難所となる公共施設等への設置を促すことができる。
【００３６】
次に、本発明の複列型発光器を用いた携帯性の発光型情報発信ツールは、従来技術の単列型発光器を用いた場合と比べて、順次選択する光源列の数ｎが増大するにつれて携帯性の発光型情報発信ツールを振り動かす周期が所定値からズレたときに点灯した光源列が一つ前の時間ステップで点灯した光源列と重なる事態が生じ易くなる。このため、本発明の複列型発光器を用いた携帯性の発光型情報発信ツールを振り動かす周期は所定値に極力近づける必要がある。そこで、所定の周期と同期した信号、例えば音や光を発する機構を本発明の複列型発光器に備えることにより、振り動かす周期を所定値に誘導することができる。
【００３７】
あるいはまた、本発明の複列型発光器に加速度センサーを備え、振り動かすことでスイッチがＯＮとなって順次選択が開始される機構を備えることで、振り動かす動作の位相ズレの軽減を図ることができる。
【００３８】
そして、これまで本発明について図面に示した特定の実施形態をもって説明してきたが、本発明は図面に示した実施形態に限定されるものではなく、本発明の効果を奏する限り、これまで知られたいかなる構成であっても採用することができることは言うまでもないことである。
【００３９】
例えば、本発明の発光器を取り付ける対象が防災用品に限られるものでなく、日常生活用品やスポーツ観戦の応援グッズであるスティックバルーン等であっても構わないことは言うまでもないことである。
【００４０】
また、これまで本発明について光源列を構成する光源の例としてＬＥＤを挙げて説明してきたが、光源の種類はこれに限定されるものでないことは言うまでもないことである。
【００４１】
例えば、Ｆｕｌｌ−ＨＤ等に対応した画素数を有する液晶表示装置や有機ＥＬ表示装置の画面を１ｃｍ角程度の格子状に分割し、分割された各格子状領域を一つの光源と見なして各格子状領域を構成する全ての画素を同期して点灯または消灯する場合には、本発明が適用可能であるということは言うまでもないことである。
【符号の説明】
【００４２】
３００  本発明の実施形態の一例におけるポリイミドフィルム
３１０  本発明の実施形態の一例におけるアノード接続バンプ
３１１  本発明の実施形態の一例におけるアノード給電配線
３１２  本発明の実施形態の一例におけるアノード給電電極
３２０  本発明の実施形態の一例におけるカソード接続バンプ
３２１  本発明の実施形態の一例におけるカソード給電配線
３２２  本発明の実施形態の一例におけるカソード給電電極
３３０  ＬＥＤチップ
４００  回転翼に取り付けた本発明の実施形態の一例における複列型発光器
４１０  回転翼
４２０  情報受信者
４２１  情報受信者が認識する文字情報
ｍ  本発明の複列型発光器における光源列数
ｎ  本発明の複列型発光器における同時に順次選択される光源列数
Ｗ  列発光型情報発信ツールで発信する文字情報を構成する光源列数
ｋ  時間ステップ数
【図１】
2020184044.tif 000003
【図２】
2020184044.tif 000004
【図３】
2020184044.tif 000005
【図４】
2020184044.tif 000006
【図５】
2020184044.tif 000007
【図６】
2020184044.tif 000008
【図７】
2020184044.tif 000009
【図８】
2020184044.tif 000010
【図９】
2020184044.tif 000011